(57)【要約】【課題】  リール本体内部に水や異物等が侵入し難いようにし、かつ、内部に水が侵入したときには外部に容易に排出できるようにし、内部部品等の腐食や動作不良等を防止する。また、排出孔周辺の傷やそれによる腐食を防止し、良好な排水性を維持する。【解決手段】  リール本体の本体部３の底部に、内部に侵入した水を外部に排出するための排出孔５０を形成する。排出孔５０は、スプール等を外部衝撃から保護するカバー部材１７に覆われた部分に形成し、リール本体の内部に直接異物等が入らないようにする。カバー部材１７のリール本体に対向する面には、排出孔５０と外部を連通して、内部に侵入した水を外部へ排出するための排水路５１を形成する。【選択図】          図４
2006262853.tif 000002
【特許請求の範囲】
【請求項１】
リール本体内部と外部とを連通し、内部に侵入した水を外部に排出する排出孔を有する魚釣用リールにおいて、
前記排出孔を覆うカバー部材と、
該カバー部材とリール本体との間に形成された、前記排出孔と外部とを連通する排水路と、を有することを特徴とする魚釣用リール。
【請求項２】
請求項１に記載された魚釣用リールにおいて、
前記排水路は、前記カバー部材のリール本体に対向する面及び／又はリール本体の前記カバー部材に対向する面に形成されていることを特徴とする魚釣用リール。
【請求項３】
請求項２に記載された魚釣用リールにおいて、
前記排水路は、凹溝であることを特徴とする魚釣用リール。
【請求項４】
請求項１ないし３のいずれかに記載された魚釣用リールにおいて、
前記カバー部材は、リール本体の底部に装着されていることを特徴とする魚釣用リール。
【請求項５】
請求項１ないし４のいずれかに記載された魚釣用リールにおいて、
前記カバー部材は、リール本体の外周に取り外し可能に装着されていることを特徴とする魚釣用リール。
【発明の詳細な説明】
【技術分野】
【０００１】
本発明は、魚釣用リールに関し、より詳しくは、リール本体に回転可能に支持されたハンドルの回転操作でスプールを回転し、スプールに釣糸を巻回する魚釣用リールに関する。
【背景技術】
【０００２】
一般に、魚釣用リールは、釣糸が巻回されるスプールと、釣糸の巻き取り操作に使われるハンドルと、スプール及びハンドルを回転可能に支持するリール本体とを有しており、このリールの内部には、ハンドルの回転をスプールに伝達するギヤ等からなる駆動機構や、スプール等の回転を可能とする軸受等、各種の部品が収納されている。従って、リール内部に水、塩水、砂、ゴミ等の水や異物等が侵入して滞留してしまうと、各部品やリール本体内部の腐食による動作不良や強度低下、あるいは、ギア等の摩耗が進行して耐久性が低下する等、故障が起きやすくなるという問題が生じる。
【０００３】
この問題に対処する方法の一つとして、魚釣用リールを密閉構造とし、水や異物等の侵入を防ぐ方法がある。しかし、リール外部のハンドルから内部の駆動機構へ動力が伝達され、その動力をスプールに伝達する魚釣用リールでは、完全な密閉構造とするのは困難である。また、この方法では、部材の弛み等で生じた僅かな隙間からリール内部に水が侵入してしまった場合には、水は外部に排出され難いため、腐食等が起きるおそれがあり、更に、水を除去するためにはリールを分解しなければならず、メンテナンスに手間がかかるという問題がある。
【０００４】
そこで、リール本体に、内部に侵入した水等を外部に排出するための排水路を設けることで、上記した問題に対処した釣用リールが知られている（特許文献１参照）。
【０００５】
即ち、特許文献１に記載されたリールでは、図８に示すように、リール本体の底部に排水路となる孔９０が設けられており、この孔９０からリール内部に侵入した水を外部に排出することができる。しかし、孔９０がリール本体の外部に向かって直接開いているため、逆に、そこからリール内部に水や異物等が入りやすいという問題が生じる。また、孔９０はリール底部にあるため、リールを地面に置いたときなどに、孔９０のエッジ等の周辺部が傷付き、そこから腐食が起きやすいという問題もある。従って、水等がリール外部に抜けやすいように孔９０を大きくすることはできず、排水効率を向上させることができない。
【０００６】
そこで、図９に示すリールでは、排水・洗浄用の孔９２を開閉するための開閉用栓９３（スライド式、キャップ式、ねじ込み式）をリールのカバー９１に装着することで、上記した孔を設けることで生じる問題の解消を図っている（特許文献２参照）。
【０００７】
このリールでは、内部に侵入した水等は、開閉用栓９３を開けて穴９２から排水等することができ、それ以外のときには開閉用栓９３を閉じることで水や異物等の侵入や、穴９２の周辺が傷付くのを防ぐこと等ができる。しかし、排水等を行う度に開閉用栓９３の開閉操作をしなければならず、排水等に手間がかかる。また、構造も複雑化するため、部品数や製造工程等が増え、製造コストが高くなる。更に、魚釣用リールは、環境の厳しい屋外で使用するため、使用中に落下させたり、岩等の他物に当ててしまうことがあり、そのときに開閉用栓９３が変形等してしまうと開閉操作が円滑に行えなくなってしまう等、種々の問題がある。
【０００８】
【特許文献１】実開昭６０−１５６９６４号公報
【特許文献２】特開平９−１１７２４０号公報
【発明の開示】
【発明が解決しようとする課題】
【０００９】
本発明は、前記従来の問題に鑑みなされたものであって、その目的は、リール本体内部に水や異物等が侵入し難いようにし、かつ、内部に水が侵入したときには外部に容易に排出できるようにし、内部部品等の腐食や動作不良等を防止することである。また、排出孔周辺の傷やそれによる腐食を防止し、良好な排水性を維持することである。
【課題を解決するための手段】
【００１０】
請求項１の発明は、リール本体内部と外部とを連通し、内部に侵入した水を外部に排出する排出孔を有する魚釣用リールにおいて、前記排出孔を覆うカバー部材と、該カバー部材とリール本体との間に形成された、前記排出孔と外部とを連通する排水路と、を有することを特徴とする。
請求項２の発明は、請求項１に記載された魚釣用リールにおいて、前記排水路は、前記カバー部材のリール本体に対向する面及び／又はリール本体の前記カバー部材に対向する面に形成されていることを特徴とする。
請求項３の発明は、請求項２に記載された魚釣用リールにおいて、前記排水路は、凹溝であることを特徴とする。
請求項４の発明は、請求項１ないし３のいずれかに記載された魚釣用リールにおいて、前記カバー部材は、リール本体の底部に装着されていることを特徴とする。
請求項５の発明は、請求項１ないし４のいずれかに記載された魚釣用リールにおいて、前記カバー部材は、リール本体の外周に取り外し可能に装着されていることを特徴とする。
【発明の効果】
【００１１】
本発明によれば、リール本体の内部に侵入した水を外部に排出するための排出孔をカバー部材で覆い、リール本体とカバー部材との間に排出孔と外部とを連通する排水路を形成したため、外部から水や異物等が侵入し難く、かつ、内部に侵入した水は外部に容易に排出することができる。従って、魚釣用リールの内部部品等の腐食や動作不良等を防止することができる。更に、カバー部材により排出孔周辺の傷及びそれによる腐食が防止され、良好な排水性を維持することができる。
【発明を実施するための最良の形態】
【００１２】
以下、本発明の一実施形態を採用した魚釣用リールについて、図面を参照して説明する。まず、魚釣用リールの全体構成について説明する。図１は、この魚釣用リールの側断面図であり、図２は、スプール５を取り外した状態の図１のＡ−Ａ線に沿う一部断面図である。なお、本実施形態では、魚釣用リールの本体部３に対しスプール５の位置する方向（図１の左方向）を前方、ハンドル２の位置する方向（図１の右方向）を後方とし、竿取付部４ｂの位置する方向（図１の上方向）を上方、その反対方向（図１の下方向）を下方として説明する。また、本体部３等の下方部分を底部という。
【００１３】
魚釣用リールは、図１に示すように、ハンドル２を回転可能に支持する本体部３と、本体部３と外形寸法が略同一の筒状の支持体４とで構成されるリール本体１や、回転して外周に釣糸を巻き取るスプール５等を備え、本体部３と支持体４とスプール５の内部には空間（以下、リール本体１内部または、単に内部という）が形成されている。スプール５は、本体部３の前方に回転可能に支持されており、支持体４は、本体部３とスプール５の間に設けられ、図示しないネジにより本体部３に固定されている。リール本体１の内部には、ハンドル２の回転をスプール５に伝達するギヤ等からなる駆動機構６や、スプール５等の回転を可能とする軸受等、各種の部品が収納されている。
【００１４】
本体部３は、図１で左方向からみたとき、正面視略円形のカップ状に形成され、中心と底部との間には、ハンドル軸１１が通る穴と、その穴と同心で後方に向かって突出する筒状の突起３ａ等が形成されている。また、略中心に、先端近くに凹状の溝７ａを有する円柱状の支軸７が固定されており、支軸７には、ピニオン１６が回転可能かつその軸方向に摺動可能に嵌合されている。
【００１５】
支持体４の上方部分には、前方に向かって突出する断面円弧状の突片４ａが一体に形成されている。この突片４ａの外周には、竿を取り付ける竿取付部４ｂが固着されている。また、支持体４の内周には、ハンドル軸１１の軸受１４を支持する軸受支持部４ｃが形成され、中心には支軸７が通る孔が設けられている。
【００１６】
ハンドル２は、中心部にハンドル軸１１の端部が着脱可能に回り止め装着されており、その両端には、ハンドル２を回転させるときに使用されるハンドルつまみ１２が後方に向かって取り付けられている。ハンドル軸１１は、後方側の一端が本体部３の前記突起３ａに挿着された軸受筒１３に、また、他端が前記軸受１４を介して支持体４に、それぞれ回転可能に支持されている。また、ハンドル軸１１の軸受筒１３と軸受１４の間には、ピニオン１６と噛み合うドライブギヤ１５が固着されている。
【００１７】
支持体４の竿取付部４ｂの反対側の外周には、前方へ突出する一片のカバー部材１７が２つのネジ１８で固定されており、カバー部材１７には、図１のＢ方向矢視図である図３に示すように、前方よりに略矩形の切欠き部１７ａが形成され、後方よりの上下両端近くにネジ止め用の孔が設けられている。また、その断面は、本体部３および支持体４の外周に対応した円弧状になっており、本体部３、支持体４、スプール５の底部を覆うようになっている。なお、本実施形態では、カバー部材１７は高硬度材料等で形成され、魚釣用リールを地面に置いたときに傷がつくのを防止するなど、外部衝撃に対しスプール５や支持体４等の底部を保護する保護部材となっている。
【００１８】
スプール５の外周は、図１に示すように、釣り糸が巻かれる小径部５ｃを有する円筒状になっており、前方には、中心に支軸７が通る孔が開口した凹部５ｄを有する円盤状の部分が、外周部分と一体に形成されている。更に、スプール５の内部には、スプール５の中心軸と同心の筒状のスプール支持部５ａが、スプール５先端の凹部５ｄと一体に、後方に向かって突設されている。
【００１９】
スプール支持部５ａの内周には、軸受８の位置決めのための段部５ｂが設けられ、２つの軸受８、９がカラー１０を挟んで支軸７の軸方向に所定の間隔を開けて挿着されている。スプール５は、この軸受８、９を介して本体部３に固着された支軸７に回転可能に支持されている。また、軸受９の後方にはピニオン１６からの動力をスプール５に伝達するクラッチ係合部材２２が挿着され、抜止めプレート２３によりスプール支持部５ａに固定されている。スプール支持部５ａの外周には、抜止めプレート２３後方側に接してＯ−リング２４が係止されており、軸受８、９とクラッチ係合部材２２、抜止めプレート２３がスプール支持部５ａから抜けないようになっている。
【００２０】
クラッチ係合部材２２は、中央に支軸７を挿通する孔を有するリング形状をなし、中央の孔を挟んで対向した一対の突片２２ａが、後方に向かって突設されている。この突片２２ａの内周は平面状に形成されており、外周はスプール支持部５ａの内周に対応する円弧状に形成されている。また、スプール支持部５ａの後方端には、クラッチ係合部材２２の突片２２ａの外形形状と一致する一対の断面円弧状の突片５ｅが形成されており、抜止めプレート２３により、クラッチ係合部材２２とスプール支持部５ａの突片２２ａ、５ｅは、重なるように係止されている。
【００２１】
スプール５先端の凹部５ｄには、押しボタン１９と、支軸７の径方向へバネ２０で付勢された係止板２１からなる周知のワンタッチ式の着脱機構が装着されている。押しボタン１９を後方に押圧操作すると、係止板２１がバネ２０の弾発力に抗して開き、係止板２１と支軸７の先端に設けられた凹状の溝７ａとの係止状態が解除されて、スプール支持部５ａに軸受８、９やクラッチ係合部材２２等を装着したまま、スプール５が支軸７から取り外せるようになっている。これにより、内部の清掃等のメンテナンスを容易に行うことができる。
【００２２】
また、魚釣用リールのリール本体１は、クラッチレバー２５やピニオン１６の溝に係止したクラッチプレート２６、ハンドル軸１１に取り付けられて一体回転するクラッチ復帰体２７等からなる、周知のクラッチ機構等を備えている。このクラッチ機構のクラッチレバー２５の操作により、スプール支持部５ａに固定されたクラッチ係合部材２２とピニオン１６先端に形成されたクラッチ係合突起１６ａが係脱するようになっている。クラッチ係合突起１６ａは、正面視略小判形状に形成されており、前記したクラッチ係合部材２２の突片２２ａ間に係合するようになっている。
【００２３】
本魚釣用リールは以上のように構成されているので、ハンドルつまみ１２によりハンドル２を釣り糸巻き取り方向へ回転すると、ハンドル軸１１およびそれに固着されたドライブギヤ１５が回転し、ドライブギヤ１５に噛合するピニオン１６が回転する。このピニオン１６の回転は、クラッチ係合突起１６ａに係合したクラッチ係合部材２２および抜止めプレート２３を介して、スプール５に伝達される。これによりスプール５は回転し、係止された釣り糸がスプール５の小径部５ｃに巻き取られる。
【００２４】
次に、魚釣用リールのリール本体１内部に侵入した水を外部へ排出するための構成について説明する。図４は、本実施形態の要部である図１Ｄ部の拡大図であり、図５は、図２の要部拡大断面図である。
【００２５】
図４、図５に示すように、本体部３のカバー部材１７で覆われた部分には、リール本体１の内部と外部を連通する円形の排出孔５０が形成されている。排出孔５０は、リール本体１の使用時に最も低部となる本体部３の底部であり、かつカバー部材１７の後方側の端部から離れた位置に、本体部３を貫通して設けられている。
【００２６】
更に、排出孔５０を塞ぐように設けられているカバー部材１７のリール本体１に対向する面には、排出孔５０に直交した排水路５１が形成されている。排水路５１は、図５に示すように、排出孔５０の開口部分に連通して設けられ、排出孔５０の直径よりも幅広の断面略凹形状の溝（凹溝）になっている。また、図３、図４に示すように、カバー部材１７の後方側の端部から略矩形の切欠き部１７ａまで、前後方向に渡って形成されている。このカバー部材１７は、ネジ１８によりリール本体１に取り外し可能に装着されているため、排水路５１がゴミで詰まった場合等には、取り外してその清掃等をすることができる。
【００２７】
なお、排水路５１は、カバー部材１７に対向するリール本体１の外周に形成してもよい。図６は、このときのリール本体１の要部拡大断面図（図１のＤ部に相当）であり、図７は、図６のＣ−Ｃ線に沿う拡大断面図である。この場合には、図６、図７に示すように、リール本体１の外周に排水路５１（凹溝）を形成する。また、排水路５１は、以上の２形態を組み合わせて、カバー部材１７とリール本体１の両方に形成することもできる。
【００２８】
このように、排出孔５０と排水路５１によりリール本体１の内部と外部が連通されているため、リール本体１の内部に侵入した水は、図４の矢印Ｅまたは図６の矢印Ｆで示すように、排出孔５０から排水路５１を通り、カバー部材１７の前方または後方に向かって外部に容易に排出することができる。また、排出孔５０は、カバー部材１７で覆われて外部に直接開いていないため、魚釣用リールのリール本体１を地面に置いたとき等に、排出孔５０からリール本体１内部に直接異物等は侵入しない。更に、排出孔５０は排水路５１の端部から離れた位置にあり、かつ排出孔５０と排水路５１は直交しているため、排水路５１の端部に水や異物等が入っても、それらは排出孔５０からリール本体１の内部に侵入し難い。
【００２９】
従って、内部に侵入した水や異物等による、リール本体１内部の部品等の腐食や動作不良等を防止することができる。また、排出孔５０が直接外部に向かって開いていないため、異物等が侵入し難く、排出孔５０をより大きな孔にして排水効率を向上させることができる。更に、排出孔５０がカバー部材１７により覆われているため、排出孔５０のエッジ等の周辺部の傷や、それによる腐食が防止され、良好な排水性を維持することができる。
【００３０】
なお、排出孔５０は、円形以外の孔であってもよく、孔以外でも、リール本体１の内外が連通するようになっていればよい。また、排水路５１は、断面半円形状や三角形状等の凹溝以外の溝であってもよく、その他に、リール本体１とカバー部材１７との間に僅かな隙間を開ける等して、排出孔５０と外部が連通するようになっていればよい。更に、排水路５１は、排出孔５０から前方または後方等に向かって一方向に形成してもよい。以上のように排出孔５０と排水路５１を形成しても、本実施形態と同様の効果を得ることができる。
【図面の簡単な説明】
【００３１】
【図１】本発明の一実施形態を採用した魚釣用リールの側断面図である。
【図２】スプールを取り外した状態の図１のＡ−Ａ線に沿う一部断面図である。
【図３】図１のＢ方向矢視図である。
【図４】本実施形態における魚釣用リールの要部拡大断面図（図１Ｄ部）である。
【図５】図２の要部拡大断面図である。
【図６】本発明の変形例における魚釣用リールの要部拡大断面図（図１Ｄ部に相当）である。
【図７】図６のＣ−Ｃ線に沿う要部拡大断面図である。
【図８】従来の釣用リールの断面図である。
【図９】従来のリールの斜視図である。
【符号の説明】
【００３２】
１・・・リール本体、２・・・ハンドル、３・・・本体部、３ａ・・・突起、４・・・支持体、４ａ・・・突片、４ｂ・・・竿取付部、４ｃ・・・軸受支持部、５・・・スプール、５ａ・・・スプール支持部、５ｂ・・・段部、５ｃ・・・小径部、５ｄ・・・凹部、５ｅ・・・突片、６・・・駆動機構、７・・・支軸、８・・・軸受、９・・・軸受、１０・・・カラー、１１・・・ハンドル軸、１２・・・ハンドルつまみ、１３・・・軸受筒、１４・・・軸受、１５・・・ドライブギヤ、１６・・・ピニオン、１６ａ・・・クラッチ係合突起、１７・・・カバー部材、１７ａ・・・切欠き部、１８・・・ネジ、１９・・・押しボタン、２０・・・バネ、２１・・・係止板、２２・・・クラッチ係合部材、２２ａ・・・突片、２３・・・抜止めプレート、２４・・・Ｏ−リング、２５・・・クラッチレバー、２６・・・クラッチプレート、２７・・・クラッチ復帰体、５０・・・排出孔、５１・・・排水路
【図１】
2006262853.tif 000003
【図２】
2006262853.tif 000004
【図３】
2006262853.tif 000005
【図４】
2006262853.tif 000006
【図５】
2006262853.tif 000007
【図６】
2006262853.tif 000008
【図７】
2006262853.tif 000009
【図８】
2006262853.tif 000010
【図９】
2006262853.tif 000011